(57)【要約】【課題】  従来の蓋体の取り外しの容易さを確保すると共に、幼児等のいたずらによる取り外しの試みに対してはその取り外しを防止するチャイルドレジスタンス機能を備える蓋付き容器を創出することを課題とする。【解決手段】  開口縁部に沿ってフランジ３が周設された有底筒状の容器本体２と、フランジ３に嵌合する枠体１１を有すると共に枠体１１の内側に連設された頂壁１２に開口部１３が形成された蓋本体１０と、頂壁１２の内縁部１２ａに回動自在に設けられて開口部１３を閉塞する蓋体１５と、蓋体１５上に貼着されたシート２０とを備えた蓋付き容器であって、シート２０には枠体１１上に配置される摘み部２１が延設され、枠体１１には摘み部２１を係止するロック機構３０を設けた構成とする。【選択図】  図１
2019151350.tif 000002
【特許請求の範囲】
【請求項１】
開口縁部に沿ってフランジ（３）が周設された有底筒状の容器本体（２）と、前記フランジ（３）に嵌合する枠体（１１）を有すると共に該枠体（１１）の内側に連設された頂壁（１２）に開口部（１３）が形成された蓋本体（１０）と、前記頂壁（１２）の内縁部（１２ａ）に回動自在に設けられて前記開口部（１３）を閉塞する蓋体（１５）と、前記蓋体（１５）上に貼着されたシート（２０）とを備えた蓋付き容器であって、
前記シート（２０）には前記枠体（１１）上に配置される摘み部（２１）が延設され、前記枠体（１１）には前記摘み部（２１）を係止するロック機構（３０）が設けられていることを特徴とする蓋付き容器。
【請求項２】
ロック機構（３０）が、枠体（１１）にヒンジ（３２）を介して回動可能に連設されると共に左右一対のアーム（３１ｂ）を備えたベース（３１ａ）と、前記アーム（３１ｂ）に夫々立設されると共に回動時に前記枠体（１１）の内壁に嵌合する左右一対の嵌合片（３３）とを有して構成されている請求項１記載の蓋付き容器。
【請求項３】
ロック機構（３０）が、薄肉部（１４）と逆側に位置する枠体（１１）上に所定の間隔を有して左右対称に形成され且つ前記枠体（１１）の上面を含んだ状態において断面コの字状を形成する一対の第１係止片（３４）により構成されている請求項１記載の蓋付き容器。
【請求項４】
ロック機構（３０）が、枠体（１１）上の摘み部（２１）の先端と対向する位置に形成され且つ前記枠体（１１）の上面を含んだ状態において断面コの字状を形成する第２係止片（３５）により構成されている請求項１記載の蓋付き容器。
【請求項５】
頂壁（１２）の内縁部（１２ａ）と蓋体（１５）との間が薄肉部（１４）を介して連結されている請求項１乃至４のいずれか一項に記載の蓋付き容器。
【請求項６】
シート（２０）は、摘み部（２１）に非接着部（２３）が設けられ、且つ前記シート（２０）と頂壁（１２）の内縁部（１２ａ）との間が剥離可能に貼着されている請求項１乃至５のいずれか一項に記載の蓋付き容器。
【発明の詳細な説明】
【技術分野】
【０００１】
本発明は、幼児等がいたずらに蓋体を開けることを防止するチャイルドレジスタンス機能を備えた蓋付き容器に関する。
【０００２】
従来の容器は、使用したい時に直ぐに蓋体を取り外せるように、単純な嵌合構造を有するものが多く、蓋体の取り外し易さと装着し易さに着眼したものが多かった（例えば、特許文献１参照）。しかしながら、このように蓋体の取り外し易さと装着し易さのみに重点をおいたため、結果的に蓋体を引っ張る操作だけで、誰にでも蓋体を簡単に取り外すことができ、内容物の取り出しが自由に行えるようになってしまっている。
【０００３】
使用者が収納又は充填される内容物の特性を十分に理解している通常の使用状況においては、このような蓋体の取り外し易さは便利なものであってなんら問題は無く、とても望ましい形態である。しかしながら、収納又は充填される内容物の特性を十分に理解しえない者でも簡単に蓋体の取り外しが行えるという懸念を併せ持つことになる。
【０００４】
すなわち、例えば幼児や認知症患者等（以下、幼児等という）が、中身の内容物の危険度を理解しないままに、容器の蓋体を外し、内容物にいたずらをすることが起こりうる。
こうした問題に対応するために充填する容器又はその蓋体に、幼児等では容易に取り外しのできない機能、即ち、所謂チャイルドレジスタンス機能を付与することが求められている。このチャイルドレジスタンス機能を有する容器は、例えば、従来技術である容器の蓋体が、ただ単に蓋体と容器本体とを引き離す方向に蓋体を引っ張る操作だけで取り外せるのに対し、ただ蓋体を引っ張る操作だけでは蓋体を取り外せず、蓋体を引っ張る前に又は同時に蓋体を引っ張るのとは別の操作を蓋体等に対して行い、それによって蓋体を取り外すように構成されている。
【０００５】
チャイルドレジスタンス機能のための蓋体等に対して行われる操作は、従来の閉蓋具における蓋体取り外し操作に比べ、複雑になり過ぎず、従来の蓋体の取り外しの容易さは十分確保すると共に、幼児等のいたずらによる取り外しの試みに対しては十分その防止をできるものでなければならない。
【先行技術文献】
【特許文献】
【０００６】
【特許文献１】実開平３−１７０５６号公報
【発明の概要】
【発明が解決しようとする課題】
【０００７】
本発明は、上記した従来技術における問題点を解消すべく、従来の蓋体の取り外しの容易さを確保すると共に、幼児等のいたずらによる取り外しの試みに対してはその取り外しを防止するチャイルドレジスタンス機能を備える蓋付き容器を創出することを課題とする。
【課題を解決するための手段】
【０００８】
上記課題を解決するための手段のうち、本発明の主たる手段は、
開口縁部に沿ってフランジが周設された有底筒状の容器本体と、フランジに嵌合する枠体を有すると共に枠体の内側に連設された頂壁に開口部が形成された蓋本体と、頂壁の内縁部に回動自在に設けられて開口部を閉塞する蓋体と、蓋体上に貼着されたシートとを備えた蓋付き容器であって、
シートには枠体上に配置される摘み部が延設され、枠体には摘み部を係止するロック機構が設けられている、と云うものである。
本発明の主たる手段では、蓋体を開閉操作するための摘み部がロック機構によって係止され、幼児等にとって簡単には開けることができない構成とすることができる。
【０００９】
また本発明の他の手段は、本発明の主たる手段に、ロック機構が、枠体にヒンジを介して回動可能に連設されると共に左右一対のアームを備えたベースと、アームに夫々立設されると共に回動時に枠体の内壁に嵌合する左右一対の嵌合片とを有して構成されている、との手段を加えたものである。
上記手段では、ロック機構を回動させるだけで、摘み部を係止するロック状態及びその係止を解除する非ロック状態に容易に設定することができる。
【００１０】
また本発明の他の手段は、本発明の主たる手段に、ロック機構が、薄肉部と逆側に位置する枠体上に所定の間隔を有して左右対称に形成され且つ枠体の上面を含んだ状態において断面コの字状を形成する一対の第１係止片により構成されている、との手段を加えたものである。
上記手段では、摘み部の左右両端が第１係止部によって夫々係止される構成であり、開蓋状態にするためには、摘み部の左右両端を係止する第１係止部を夫々外す必要があるため、幼児等にとって簡単には開けることができない構成とすることができる
【００１１】
また本発明の他の手段は、本発明の主たる手段に、ロック機構が、枠体上の摘み部の先端と対向する位置に形成され且つ枠体の上面を含んだ状態において断面コの字状を形成する第２係止片により構成されている、との手段を加えたものである。
上記手段では、摘み部の先端が第２係止部によって係止される構成であり、係止された状態では、摘み部の先端を第２係止部の下に隠すことができるため、幼児等にとって簡単には開けることができない構成とすることができる
【００１２】
また本発明の他の構成は、上記いずれかの手段に、頂壁の内縁部と蓋体との間が薄肉部を介して連結されている、との手段を加えたものである。
上記手段では、薄肉部がヒンジとして機能するため、蓋体の回動（開閉）を確実に行うことができる。また蓋体を蓋本体と一体的に形成することができるようになる。
【００１３】
また本発明の他の構成は、上記いずれかの手段に、シートは、摘み部に非接着部が設けられ、且つシートと頂壁の内縁部との間が剥離可能に貼着されている、との手段を加えたものである。
上記手段では、非ロック状態において、摘み部が反り返り形状となるので容易に摘むことが可能となる。またシートと頂壁の内縁部との間が剥離可能に貼着される構成では、ロック状態において密封状態を確保することが可能になると共に、非ロック状態からの開蓋を容易に行うことが可能となる。
【発明の効果】
【００１４】
本発明は、上記した構成となっているので、以下に示す効果を奏する。
本発明では幼児等のいたずらによる蓋体の取り外しを防止するチャイルドレジスタンス機能を実現することができる。
また従来の蓋体の取り外しの容易さを確保することができるため、幼児等以外の者にとっては開けやすい蓋付き容器とすることができる。
【図面の簡単な説明】
【００１５】
【図１】本発明の第１実施例を示す蓋付き容器の平面図である。
【図２】蓋付き容器を正面側から示す半断面図である。
【図３】閉蓋且つ非ロック状態を示す蓋付き容器の断面図である。
【図４】開蓋状態を示す蓋付き容器の断面図である。
【図５】閉蓋且つロック状態を示す蓋付き容器の断面図である。
【図６】Ａは本発明の第２実施例を示す蓋付き容器の平面図、ＢはＡを正面側から示す部分断面図である。
【図７】Ａは本発明の第３実施例を示す蓋付き容器の平面図、ＢはＡのＶＩＩ−ＶＩＩにおける部分断面図である。
【発明を実施するための形態】
【００１６】
以下、本発明の実施の形態について図面を参照しつつ説明する。
図１は本発明の第１実施例を示す蓋付き容器の平面図、図２は蓋付き容器を正面側から示す半断面図、図３乃至５は図１のＩＩＩ−ＩＩＩ線における断面図であり、図３は閉蓋且つ非ロック状態を示す蓋付き容器の断面図、図４は開蓋状態を示す蓋付き容器の断面図、図５は閉蓋且つロック状態を示す蓋付き容器の断面図である。
【００１７】
第１実施例に示す本発明の蓋付き容器１は、例えば粉体状に形成した又はフィルムによって覆われた液体を略ボール状に形成した洗剤等の内容物を収納する容器として使用される。
図２に示すように、この蓋付き容器１は、上方に設けられた開口縁部から略水平に外側方向に延出するフランジ３を備えた有底角筒状から成る容器本体２と、フランジ３に嵌合する断面コの字状からなる枠体１１を備えた蓋本体１０と、下面側に接着層２２を備えるシート２０とを有して構成されている。容器本体２及び蓋本体１０は、例えば合成樹脂材料を射出成形やサーモフォーム成形等をすることにより形成されている。
【００１８】
また図１に示すように、枠体１１の周囲の８か所の位置には、アンダーカット状の係止部１１ａが下方へ突設されており、枠体１１をフランジ３に組み付けて嵌合させると、各係止部１１ａがフランジ３を下方に乗り越えて係止するため、容器本体２からの枠体１１の離脱を有効に防止することが可能となっている。
【００１９】
枠体１１の内側は陥没設されると共に枠体１１の内壁１１Ａから水平に連設する頂壁１２が設けられている。頂壁１２の中央部には平面視にて略四角形状からなる開口部１３が貫通形成されている。この開口部１３と隣接する頂壁１２の内縁部１２ａには、薄肉部１４とこの薄肉部１４を介して回動する蓋体１５が連設されている。また頂壁１２の内縁部１２ａと蓋体１５の縁部との間で且つ薄肉部１４を除く位置には所定の幅寸法から成るクリアランス１６が略Ｕ字状に周設されている。蓋体１５は薄肉部１４を支点としてその先端側（薄肉部１４とは逆側の端部）を持ち上げることにより、開口部１３が露出する開蓋状態に設定することができ（図４参照）、また薄肉部１４を支点として開蓋状態にある蓋体１５を下方に向けて回動させ、蓋体１５を頂壁１２と面一に合わせることにより開口部１３が閉じる閉蓋状態に設定することが可能となっている（図３参照）。また、薄肉部１４は、一つの薄肉帯形状としているが、複数箇所（例えば２箇所）設けてもよい。さらに、中央部に肉薄状のヒンジを設け、その両側に補助的な弾性帯を備えるヒンジ構成、あるいは中央部に補助的な弾性帯を設け、その両側に肉薄状のヒンジを備えるヒンジ構成としてもよい。
【００２０】
シート２０は合成樹脂を薄い膜状に成型したフィルムで形成されており、蓋体１５の平面形状と略相似形で且つ蓋体１５よりも一回り大きな面積を有して形成されている。シート２０の薄肉部１４と逆側となる位置には、枠体１１の上面の位置まで延設する凸状の摘み部２１が連設されている。接着層２２は摘み部２１を除いたシート２０の下面に積層されており、シート２０はこの接着層２２を介して蓋体１５の上面に貼着されている。接着層２２はシート２０の下面全体に積層されていてもよいし、部分的に積層されていてもよく、例えば図２においてクリアランス１６と対向するシート２０の下面部分については接着層２２を設けない構成とすることもできる。さらにはインサート成形により、蓋体１５の上にシート２０が積層される構成とすることもでき、この場合にはシート２０の外縁部の下面に沿って接着層２２が周設される構成とすることができる。
尚、図１中の摘み部２１内に示された格子柄の領域が接着層２２を有しない非接着部２３である。
【００２１】
シート２０のうち蓋体１５の縁部よりも外側にはみ出す部分は、クリアランス１６を跨いで頂壁１２の内縁部１２ａの上面に剥離可能に貼着することが可能となっている。このため、図２に示すように閉蓋状態においては、シート２０はクリアランス１６を全周に渡って被覆することが可能であり、これにより本体容器２内に収納されている内容物（図示せず）の匂いが外部に漏れることを抑制することが可能となっている。
尚、シート２０の剥離可能範囲は適宜設定することができ、例えば、摘み部２１と反対側に位置する薄肉部１４側を剥離しない構成としてもよく、この場合には蓋体１５と頂壁１２との間を連結するシート２０がヒンジとして機能するため、薄肉部１４を不要とすることが可能となる。したがって、蓋体１５は頂壁１２の内縁部１２ａに連設する構成であってもよいし、連設しない構成あってもよい。
【００２２】
図１及び図３等に示すように、薄肉部１４と逆側に位置する枠体１１上にはロック機構３０が設けられている。第１実施例に示すロック機構３０は、枠体１１の外壁１１Ｂの上端部に薄肉状に形成されたヒンジ３２を介して回動自在に連結され、ベース３１ａの左右両端に一対のアーム３１ｂを備えて平面視略Ｕ字形状に形成された部材であり、この左右一対のアーム３１ｂには嵌合片３３が夫々立設されている。
【００２３】
図３に示すように、ロック機構３０を枠体１１の外側に倒して展開した非ロック状態においては、接着層２２が積層されていない摘み部２１は、枠体１１の上面において少し反り返った状態にある。このため、図４に示すように、摘み部２１を摘まんでシート２０の下面に固着している蓋体１５を一緒に持ち上げると、シート２０のうち蓋体１５の縁部よりも外側にはみ出す部分が頂壁１２の上面から剥離するため、開口部１３が露出する開蓋状態に容易に設定することができ、この開口部１３を通じて容器本体２の内部に収納されている内容物を取り出すことが可能となる。
【００２４】
また図３の状態からヒンジ３２を中心にロック機構３０を約１８０度右回りに回転させると、図５に示すように左右一対の嵌合片３３が枠体１１の内壁１１Ａに夫々嵌合すると共にその嵌合状態を維持するロック状態に設定される。このロック状態では、左右の一対のアーム３１ｂの間に摘み部２１の両側部が側方から挟持され（図１参照）、同時にベース３１ａと枠体１１との間に摘み部２１が上下方向から挟持されるため、外部から摘み部２１を摘まむことが不可能な状態に設定される。よって、幼児等のいたずらによる蓋体１５の開蓋を防止するチャイルドレジスタンス機能を付与することができる。
【００２５】
他方、幼児等以外の者であれば、ロック機構３０を約１８０度左回りに回転させて摘み部２１を開放して図３に示す非ロック状態とすることが容易である。よって、上述したように摘み部２１を摘まんで蓋体１５を持ち上げることによって容易に開蓋状態にすることが可能である。
【００２６】
次に本発明の第２、第３実施例について説明する。
尚、第２及び第３実施例に示す蓋付き容器の基本的な構成及び効果は上記第１実施例と同様であり、ロック機構の構成のみが異なる。このため以下の説明においては、第１実施例と異なる点であるロック機構を中心に、同一部材については同一の符号を付して説明する。
【００２７】
図６Ａは本発明の第２実施例を示す蓋付き容器の平面図、ＢはＡを正面側から示す部分断面図である。
図６Ａ、Ｂに示すように、第２実施例を示す蓋付き容器１のロック機構３０は、上記同様に薄肉部１４と逆側に位置する枠体１１上に設けられている。このロック機構３０は、枠体１１上で且つ摘み部２１の幅寸法よりも若干広めの所定の間隔を有する位置に左右対称に配置され且つ枠体１１の上面を含んだ状態において断面コの字状を形成する一対の第１係止片３４によって構成されている。
第２実施例に示すロック機構３０では、シート２０の凸状の摘み部２１を一対の第１係止片３４間に挿入させ又は上から押圧して摘み部２１を変形させて一対の第１係止片３４間に嵌入させると、摘み部２１の左右両端を一対の第１係止片３４が夫々係止するロック状態に設定される。このロック状態を解除するには、一対の第１係止片３４の間から摘み部２１を取り出す操作が必要になる。よって、上記同様に幼児等のいたずらによる蓋体１５の開蓋を防止するチャイルドレジスタンス機能を付与することができる。
【００２８】
他方、摘み部２１の先端部は非接着部２３が設けられ摘み易い状態にあるため、幼児等以外の者は、摘み部２１の先端を摘み上げて一対の第１係止片３４の間から取り外し、上記同様に摘み部２１を摘みながら蓋体１５を持ち上げることにより、容易に開蓋状態とすることが可能である。
【００２９】
図７Ａは本発明の第３実施例を示す蓋付き容器の部分平面図、ＢはＡのＶＩＩ−ＶＩＩにおける部分断面図である。
図７Ａ、Ｂに示すように、第３実施例を示す蓋付き容器１のロック機構３０も上記同様、薄肉部１４とは逆側となる枠体１１上の位置で且つ枠体１１の上面を含んだ状態において断面コの字状を形成する第２係止片３５によって形成されている。
第２実施例に示すロック機構３０では、凸状の摘み部２１の先端を枠体１１の上面と第２係止片３５との間に挿入し又は上から押圧して摘み部２１を変形させて枠体１１の上面と第２係止片３５との間に嵌入させることにより、摘み部２１を第２係止片３５が係止するロック状態に設定される。摘み部２１の先端は第２係止片３５の下隠れた状態にあり、発見し難くなっている。よって、上記同様に幼児等のいたずらによる蓋体１５の開蓋を防止するチャイルドレジスタンス機能を付与することができる。
【００３０】
他方、摘み部２１の先端には非接着部２３が設けられており、枠体１１の上面と第２係止片３５との間から摘み部２１を取り出すと摘み部２１が反り返る状態になる。このため、幼児等以外の者は、取り出した後の反り返った状態にある摘み部２１を摘み上げて蓋体１５を持ち上げることにより、容易に開蓋状態とすることが可能である。
【００３１】
以上、実施例に沿って本発明の構成とその作用効果について説明したが、本発明の実施の形態は上記実施例に限定されるものではない。
【００３２】
例えば上記各実施例では、箱型の本体容器２の開口端１３に略四角形状からなる蓋本体１０が装着される構成を示して説明したが、本体容器２及び蓋本体１０の形状は上記実施例に限定されるものではなく、例えば円筒形状かからなる本体容器２に円形状からなる蓋本体１０が装着される構成等、本体容器２の形状に蓋本体１０の形状を合わせる構成であればその他どのような形状であっても良い。
【産業上の利用可能性】
【００３３】
本発明は、チャイルドレジスタンス機能が要求される蓋付き容器の分野における用途展開をさらに広い領域で図ることができる。
【符号の説明】
【００３４】
１    ：  蓋付き容器
２    ：  容器本体
３    ：  フランジ
１０  ：  蓋本体
１１  ：  枠体
１１Ａ：  枠体の内壁
１１Ｂ：  枠体の外壁
１１ａ：  係止部
１２  ：  頂壁
１２ａ：  頂壁の内縁部
１３  ：  開口部
１４  ：  薄肉部
１５  ：  蓋体
１６  ：  クリアランス
２０  ：  シート
２１  ：  摘み部
２２  ：  接着層
３０  ：  ロック機構
３１ａ：  ベース板
３１ｂ：  アーム部
３２  ：  ヒンジ
３３  ：  嵌合片
３４  ：  第１係止片
３５  ：  第２係止片
【図１】
2019151350.tif 000003
【図２】
2019151350.tif 000004
【図３】
2019151350.tif 000005
【図４】
2019151350.tif 000006
【図５】
2019151350.tif 000007
【図６】
2019151350.tif 000008
【図７】
2019151350.tif 000009